(57)【要約】本発明は、ペーパーマシンのドクター組立体の動作監視方法に関する。本方法では、ドクター組立体（１６）の動作が監視される。作動不良の場合、ペーパーマシン（１０）の制御装置（１４−１４’、１５）は、修理及び／又は保護措置を無くすための必要な措置を実行するために使用される。更に、検出装置（２０）は、ドクター組立体（１６）に関連して配設され、作動不良を検出する。検出装置（２０）は、前記措置を自動的に実行するため、制御装置（１４−１４’、１５）に接続される。本発明は、また、本方法を実行するペーパーマシンのドクター組立体に関する。
2004523675.tif 000002
【特許請求の範囲】
【請求項１】
移動する表面（１７）から材料を剥ぎ取るために使用されているドクター組立体（１６）がドクター部材（１８）を有する、ペーパーマシンにおけるドクター組立体の動作を監視する方法であって、検出装置（２０）は、ドクター組立体（１６）の動作を監視するために使用され、ドクター部材（１８）の不完全な剥ぎ取りが生じた場合、検出装置（２０）に接続されるペーパーマシンの制御装置（１４−１４”）と協働して、ドクター組立体（１６）の不完全な剥ぎ取りが監視される前に、ペーパーマシンで製造されているウェブを下方走行させるための必要な措置を実行して、不完全な剥ぎ取りによる作動不良を無くし、修理及び／又は保護措置を実行する、方法において、
検出装置（２０）は、ドクター部材（１８）の不完全な剥ぎ取りを検出すべく、ドクター部材（１８）の後段に配置され、ドクター部材（１８）の後段において表面（１７）上に材料が存在するのをチェックするために使用されることを特徴とする、方法。
【請求項２】
検出装置（２０）は、ドクター組立体（１６）を形成するダブルドクターと関連して配置され、特に、それ自体知られたダブルドクターの第１及び第２のドクター部材（１８’，１８”）の間の空間に配置されることを特徴とする、請求項１記載の方法。
【請求項３】
検出装置（２０）は、ペーパーマシンのプレス部（１２）のドクター組立体（１６）を形成するダブルドクターと関連して配置されることを特徴とする、請求項１又は２記載の方法。
【請求項４】
２若しくはそれ以上の異なる種類の検出装置（２０）がドクター組立体（１６）内で使用され、少なくとも２つが、ドクター部材（１８）の不完全な剥ぎ取りを検出したとき、ピックアップロールを持ち上げる措置、ピックアップロールからの負圧を解除する措置、ピックアップロールに過剰な圧力を生成する措置、及び／又は、ドクター組立体（１６）からの負荷圧を解除する措置が講ぜられることを特徴とする、請求項１乃至３の何れかに記載の方法。
【請求項５】
移動する表面（１７）をドクタリングするためのドクター組立体であって、当該表面（１７）と接触するように配設され、ペーパーマシンで使用される材料を表面（１７）から取り除く少なくとも１つのドクター部材（１８）を含み、ペーパーマシンは、制御装置を含み、検出装置（２０）は、ドクター組立体（１６）の動作中にドクター部材（１８）の不完全な剥ぎ取りを検出するため、ドクター組立体（１６）と関連して配置され、検出装置（２０）は、次のドクター組立体（１６）の前段にて、ペーパーマシンで作成されているウェブを下方走行させるペーパーマシンの制御装置に接続され、ドクター部材（１８）の不完全な剥ぎ取りにより引き起こされる作動不良を無くし、修理及び／又は保護措置を実行する、ドクター組立体において、
検出装置（２０）は、ドクター部材（１８）の不完全な剥ぎ取りを検出すべく、移動する表面（１７）の走行方向でドクター部材（１８）の後段に配置され、ドクター部材（１８）の後段において表面（１７）上に材料が存在するのをチェックするよう構成されることを特徴とする、ドクター組立体。
【請求項６】
ドクター組立体（１６）は、それ自体知られたダブルドクターであり、特にペーパーマシンのプレス部（１２）におけるダブルドクターであることを特徴とする、請求項５記載のドクター組立体。
【請求項７】
検出装置（２０）は、光学的及び／又は音響的部材のような非接触部材を含み、該非接触部材は、ドクター組立体（１６）の両端若しくは一端に設けられ、及び／又は、ドクター組立体（１６）の全長に実質的に亘って設けられることを特徴とする、請求項５又は６記載のドクター組立体。
【請求項８】
光学的部材は、移動する表面（１７）の作動不良に関連して反応するように、及び／又は、ドクター組立体（１６）の上部に溜まる材料に反応するように配設され、音響的部材は、作動不良により引き起こされる音若しくは音の変化に反応するように配設されることを特徴とする、請求項７記載のドクター組立体。
【請求項９】
検出装置（２０）は、ドクター組立体（１６）の両端に設けられ、及び／又は、それらの間の領域に設けられる機械的部材であることを特徴とする、請求項５又は６記載のドクター組立体。
【請求項１０】
機械的部材は、作動不良中にその上に集積される材料によって生ずる力に反応するように配設されることを特徴とする、請求項９記載のドクター組立体。
【請求項１１】
機械的部材は、突起が接続された一若しくはそれ以上の状態センサを含み、その上に集積される材料が、状態センサを作動させるように構成されていることを特徴とする、請求項１０記載のドクター組立体。
【請求項１２】
検出装置（２０）は、作動不良により生ずるドクター組立体（１６）における物理量の変化に反応するように構成されることを特徴とする、請求項５又は６記載のドクター組立体。
【請求項１３】
検出装置（２０）は、温度、圧力、振動、質量、電導性、容量性、光波長の放出、若しくはドクター組立体（１６）の他の物理量の変化に反応するように構成されることを特徴とする、請求項１２記載のドクター組立体。
【請求項１４】
移動する表面（１７）をドクタリングするためのドクター組立体であって、当該表面（１７）と接触するように配設され、ペーパーマシンで使用される材料を表面（１７）から取り除く少なくとも１つのドクター部材（１８）を含み、ペーパーマシンは、制御装置を含み、検出装置（２０）は、ドクター組立体（１６）の作動不良を検出するため、ドクター組立体（１６）と関連して配置され、検出装置（２０）は、修理及び／又は保護措置を実行するペーパーマシンの制御装置に接続される、ドクター組立体において、
ドクター組立体（１６）は、移動する表面（１７）の走行方向でドクター部材（１８）の前段に配置される検出装置（２０）に接続された装置（３１）を含み、装置（３１）は、ドクター組立体（１６）の作動不良を検出するため、作動不良中、ドクター部材（１８）の前段で、装置（３１）により検出される材料の不在を検出するように構成されることを特徴とする、ドクター組立体。
【請求項１５】
装置（３１）は、レーザー距離計であることを特徴とする、請求項１４記載のドクター組立体。
【請求項１６】
装置（３１）は、ドクター部材（１８）に関連して配設され、及び／又は、パルパー供給開口（３２）のような、ドクター部材（１８）により除去される材料の出口位置に配設される検出部材であることを特徴とする、請求項１４記載のドクター組立体。
【発明の詳細な説明】
【０００１】
本発明は、移動する表面から材料を剥ぎ取るために使用されているドクター組立体がドクター部材を有する、ペーパーマシンにおけるドクター組立体の動作を監視する方法であって、検出装置は、ドクター組立体の動作を監視するために使用され、ドクター部材のドロップスルー（不完全な剥ぎ取り）が生じた場合、検出装置に接続されるペーパーマシンの制御装置と協働して、ドクター組立体のドロップスルーが監視される前に、ペーパーマシンで製造されているウェブを下方走行させるための必要な措置を実行して、ドロップスルーによる作動不良を無くし、修理及び／又は保護措置を実行する、方法に関する。本発明は、また、前記方法を実現するドクター組立体に関する。
【０００２】
米国特許公報第５，０２１，１２４号は、２つのドクターブレードが存在するドクター組立体を開示する。開示されたドクター組立体を用いると、一緒に若しくは別々に調整できる個々のドクタービームが、各ドクターブレードに対して配設されているので、素晴らしいドクタリング結果が実現できる。更に、構造は、第２のドクターブレードによりドクターされている表面からドクターされた（掻き落とされた）材料がドクタービーム間から除去されるのを可能とする。紙ウェブが下方走行させられているとき、第１のドクターブレードが、いわば紙ウェブをドロップスルーする場合、特に空間が必要とされる。かかる場合、全体の紙ウェブは、ドクタービーム間を走行し、パルパーへと落とされる。
【０００３】
上述のドクター若しくは他のものにおける主要な問題点は、ドクター組立体が意図通りに動作しない動作不良に関する。これは、殆どの動作不良が気付れないからである。一般的には、作業員は、偶然に動作不良に気付く。小さな動作不良でさえ、長時間継続する場合、特にペーパーマシンのプレス部において装置に大きなダメージを与えることになりうる。一方、現代の高速ペーパーマシンの１つの重大な問題は、第１のドクターブレードがドロップスルーした場合、第２のドクターブレードが閉塞することである。このとき、大量の材料が、直ぐにドクタービームの上部に集積され、それらを曲げさえし得る。如何なる場合でも、清浄吹き付けにも拘らず、ドクター組立体を掃除することは骨が折れる作業である。パルパーが作動不良となり、ドクターされた材料が、ドクター組立体内に集積する場合、対応する状況が生じ、ドクタービームを曲げる。双方のドクターブレードが、ドロップスルーしうる。ドロップスルー及び貧弱な剥ぎ取り結果は、他の位置に配置されたドクターの動作にも不利である。先行技術を用いて、作動不良を検出し、ダメージを防止することは実際には不可能である。
【０００４】
欧州特許公報第９８９２３４号は、プレスロールを擦るために使用されるドクターを開示する。このドクターでは、ブレードホルダ若しくはドクターブレードの角度が、ピックアップロールの制御装置に接続されるセンサにより監視される。例えば、ブレードホルダの角度の突然の変化が、作動不良として検出され、かかる場合、ピックアップロールが持ち上げられ、プレスへのダメージが防止される。しかし、ドロップスルー若しくはドクターの他の作動不良を検出するために、この開示される構成を使用することは不可能である。ドロップスルーでは、ドクターブレードの後段で、表面上の材料が剥ぎ取られるが、これは、角度を監視しているときに検出されないままである。従って、開示される組立体は、主に、異物若しくはプレス上の材料のランダムな蓄積を検出するために適しているだけである。組立体は、また、非常に微小な角度変化又は位置変化を検出するように設定された場合、容易に誤警報を発するだろう。これに対して、組立体が大きな変化にのみ反応する場合、ダメージを防止するのには手遅れとなるだろう。
【０００５】
本発明は、ペーパーマシンのドクター組立体の動作監視方法の新規な種類を生成することを意図し、これにより、ドロップスルーのような作動不良が、検出及び補正されることができ、及び／又は、容易にとりわけ速やかに保護措置を講ずることができる。本発明は、また、ペーパーマシンのドクター組立体の新規な種類を生成することを意図し、これにより、種々の作動不良が速やかに検出されることが可能となり、従って、作動不良による更なるダメージを防ぐ。本発明による方法の特徴的構成は、請求項１に記載される。これに対して、本発明によるドクター組立体の特徴的構成は、請求項５及び１４に記載される。本発明によるドクター組立体では、ドクター組立体の動作を監視する特別な装置が存在する。これらの装置は、作動不良に反応するように構成され、作動不良により生ずる更なるダメージを最小にすることを可能とする。更に、作動不良が生じた場合、装置から利用可能な情報が、修理及び／又は保護措置を実行するときに利用できる。必要な措置は、ペーパーマシンの制御部で容易に実現されることができ、特に重要な位置では、更なるダメージを防ぐ少なくとも初期措置は全自動である。本発明による方法は、既存のペーパーマシンに容易に適用できる。更に、本方法は、ペーパーマシンの有用性を改善するために使用できる。
【０００６】
次に、本発明は、本発明の幾つかの実施例を示す添付図面を参照して詳細に審査される。
【０００７】
図１は、それ自体知られたペーパーマシン１０の概略図である。この場合、用語ペーパーマシン（抄紙機）は、板紙抄紙機若しくはその類を称する。図１では、ペーパーマシン１０は、３つの副全体に分けられる。その第１は、ペーパーマシン１０の生産方向で、ウェブ形成部１１、第２は、プレス部１２、次いで、仕上げ装置を備えた乾燥部１３である。現代のペーパーマシンは、多くの高機能制御装置を内蔵する。明瞭化のため、図１の制御装置１４−１４”は、各副全体１１−１３とは別に概略的に示されている。制御装置は、例えば、各種センサ、それらに接続される計器、動作装置及びそれらを制御するのに必要な手段を含む。近年、制御装置１４−１４”の全て若しくはそのほとんどは、また、更に接続され、制御センタ１５を形成し、全体のペーパーマシンが監視され、制御室のような単一の位置から集中的に制御されることが可能とされている。
【０００８】
本発明によるドクター組立体１６は、移動する表面１７を擦るように意図されている（図２）。ペーパーマシンにおいて、ドクターされている（剥ぎ取られている）表面は、通常、ロール１７’若しくはベルトである。当該ドクター組立体において、少なくとも１つのドクター部材１８が存在し、ドクター部材１８は、実際には一般的にドクターブレード１８’であり、表面１７に接触するように配置される。材料は、生産中にロールの表面に付着する例えば細かい材料であってよい。従って、ドクター部材を用いた剥ぎ取りは、ロールの表面を清浄に保つ。しかし、材料は、例えば所謂下方走行（ランダウン）中（図２参照）に、ロール１７の表面から剥ぎ取られる紙ウェブ１９自体であってもよい。図１は、プレス部に適合されたドクター組立体１６を、実際よりも大きく示す。プレスニップを形成するロールは図示されていないが、実際には、図示のドクター組立体１６は、図２に示すように、関連するロールの最下方のロール１７’の下方に位置する。この場合、ドクター組立体１６は、ドクターブレード１８’，１８”を備える２つのドクタービーム１６’，１６”から形成される。プレスロールの他、他の不可欠なドクター組立体は、輸送ベルト及び第１及び最後のドライヤロールと関連して配置される。
【０００９】
検出装置２０は、ダメージ及び生産ロスを防止するため、ドクター組立体１６と関連して配置され、ドクター組立体の如何なる作動不良を検出する。最も重大な作動不良は、ドクターブレードによる乏しい剥ぎ取り作用及びドロップスルー（不完全な剥ぎ取り）である。本発明によれば、検出装置２０は、多くの異なる種類のものであってよいが、それぞれは、修理及び／又は保護措置を実行するためにペーパーマシン１０の制御装置１４−１４”に接続される。検出装置により付与される作動不良のメッセージは、信号に変換され、例えば制御室に送られ、必要な措置が、速やかに開始できるようにされる。制御装置は、また、メッセージを受信する直後に特別な措置を講ずるように設定されてよく、手動による修理及び／又は保護措置ではしばしば手遅れとなる。従って、最も重要な措置が自動的に取られる。かかる措置は、特にプレス部においては、ピックアップロールを持ち上げること、ニップ荷重を軽くすること、ドクターを開けることを含む。ピックアップロールを持ち上げることは、ウェブ形成部とプレス部との間でウェブを下方走行させ、これにより、ドロップスルーしたドクター組立体上へと走行するウェブを防止する。ウェブの破れ及び下方走行は、ピックアップロールからの負圧の解除により助長されうる。これに対して、過剰な圧力がピックアップロールに導かれうる。必要な措置は、たいていの動作を同時に実行させる特別なシーケンスを形成するように容易にプログラムできる。作動不良は、近隣の構造にダメージを与えることなく、可及的速やかに排除することができる。これは、作動不良による生産中断を短くする。検出装置２０は、図１中破線で示すように、永久的な接続若しくは無線により、制御装置１４−１４”に若しくは制御センタ１６に接続されてよい。
【００１０】
一般に、検出装置は、移動する表面の走行方向で、ドクター部材の後段に配置される。検出装置は、次いで、ドクター部材がドロップスルーしたか若しくはその剥ぎ取り作用が貧弱であるかどうかを検出するために使用される。通常、ドクター部材の後の表面上には材料がない。同様に、例えば、プレス部におけるダブルドクターの場合、パルパーが何らかの理由で満タンになっているかどうかが検出されるだろう。ダブルドクターでは、検出装置は、好ましくは、第２のドクターブレード（図２）の後段に配置される。これは、双方のドクターブレードがドロップスルーする作動不良を検出するだろう。この場合は通常的でないが、一般的に大きなダメージを及ぼす。これは、双方のドクターブレードがドロップスルーした場合、紙ウェブは、自身をロールに巻き付かせるからである。図２は、ドロップスルーした瞬間のドクター組立体１６の第１のドクターブレード１８’を示す。紙ウェブ１９は、このとき、第２のドクターブレード１８”に当たり、ロール１７’の表面を離れ、検出装置２０に当たる。正常的には、下方走行時、第１のドクターブレード１８’は、紙ウェブ１９を外し、図２の破線で示すような状況を生成する。同一の参照番号が機能的に類似する構成要素に用いられる。
【００１１】
次の説明は、種々の検出装置及びその動作を説明する。異なる原理で動作する検出装置は、同一のドクター組立体に適合されてよく、従って、良好な動作信頼性を達成し、誤警報を防止する。更に、作動不良が異なる種類の２つの検出装置により検出された場合にのみ措置が好ましくは取られる。また、好ましくは、同一の種類の幾つかの検出装置を同一のドクター組立体内に配置し、検出装置の信頼性を向上させる。本発明によれば、検出装置は、光学的、音響的のような非接触部材、若しくは他の類する部材から形成される。当該部材は、ドクター組立体の一端若しくは両端に適合されてよい。部材は、また、例えば適切な間隔でドクター組立体の全長に亘って配置されてよい。実際には、光学的な部材は、移動する表面上及び／又はドクター組立体の上部上で、作動不良中に現れる材料に反応するように配設される。検出は、幾つかの異なる方法で実現されてよい。１つの方法は、ドクター組立体の両端に配置されるフォトセルを使用することである。この場合、作動不良が生ずる場合、ドクター組立体上に収集する材料は、フォトセル間のビームを遮り、これにより、信号がペーパーマシンの制御装置に送信される。図３は、トランスミッタフォトセル２１及びそれにより送出されるビーム２１’を示す。使用される光は、可視光、レーザービーム、若しくは赤外線又は他の特別な波長の光であってよい。更に、ドクター組立体の他端では、リフレクタを単に配置することが可能であるが、これは、前述の構成よりも作動不良に対してシステムを信頼性の高いものとする。光学センサは、それらが汚れるのを防止する管状ケース内に効果的に実装されてよい（図３）。ケーシングが必要であるにも拘らず、フォトセル及び他の類する光学センサは小型で経済的である。
【００１２】
トーンや形状の変化に反応する種々のカメラは、光学センサとしての使用に適している。特に、これは、紙ウェブは、例えばロールの表面より、トーンが実質的に相当薄くなるので、紙ウェブが所定位置にあることを確かめることを可能とするだろう。信頼性は、紙ウェブのフィルタにより反射される光で照明することによって改善することができる。これは、第２のドクターブレードのドロップスルーを検出する特に良好な方法である。更に、特定の正常状況に校正できる機械視覚を使用することは可能である。作動不良が生じた場合、機械視覚は、状況が変化したことを検出し、警報を付与する。機械視覚は、また、ドクター組立体の動作のより長い期間の監視に適している。剥ぎ取られている表面のゆっくりとした汚れや磨耗を検出することが可能であり、整備の中断を計画することを容易にする。図３は、唯一のカメラ２２を示すが、必要であれば複数存在してよい。
【００１３】
作動不良の場合、ドクター組立体まわりの音も変化する。使用される音響部材は、作動不良により生ずる音に反応する。最も簡易的には、音響部材は、一若しくはそれ以上のマイクロフォンを含み、特定のノイズレベルに設定され、それを超えるレベルにより、装置により作動不良の信号が付与される。しかし、特定の周波数の音は、作動不良中消える場合がある。超音波センサも適当である。これらは、音レベルでなく、材料を検出するために使用されうる。図３に示すように、好ましくは、所謂指向性マイクロフォン２３がマイクロフォンとして使用され、若しくは、所謂アコースティックエミッション測定で使用されるマイクロフォンは、ドクタービーム、ブレードホルダ若しくはドクターブレードに取り付けられる場合、これらの構造内を伝播する音に反応するだろう。
【００１４】
上述の検出装置の大部分は小型で作動の信頼性があるが、現に動作する環境による校正を必要とするだろう。本発明による検出装置は、機械的な部材であってよく、ドクター組立体の端部間の領域に適合される。部材の幾つかは、端部の外側に端部と関連して装着でき（図３）、これは、装着及び整備を容易化するだろう。更に、機械的な部材は、作動不良中にそれらに収集する材料の力に反応するように配置される。従って、それらは、多くの異なる種類のドクター組立体に適するように容易に製造できる。一般的に、機械的な部材は、突起２４’が取り付けられる一若しくはそれ以上の状態センサ２４を含み、その上部には、状態センサ２４を動作させるため材料が収集するように意図される。図２及び図３は、３つの異なる機械的な部材を示す。第１は、ドクター組立体１６の端部間に延在するケーブル２５であり、その一端は、適切なセンサ構造２５’に取り付けられる。ケーブルの他、例えばワイヤ若しくはその類の細い部材を使用することも可能である。第１のドクターブレード１８’がドロップスルーした場合、紙ウェブ１９は、適切に配置されたケーブル２５に当たり、作動不良を信号で伝える（図２）。ケーブル２５は、好ましくは、装着が一回で済むように、壊れないように意図される。或いは、切断により作動不良を信号で伝える、より細い繊維、若しくは、例えば伝導体２６を使用することも可能である。このとき、伝導体２６自体は、突起及び状態センサの双方を形成する。更に、ケーブルに代えて、図２に示すように、適切な係合部２７’が取り付けられた細いシャフト２７を使用することも可能である。このとき、作動不良は、曲がりでなく、シャフト２７の回転に基づいて検出され、これは、シャフト２７に設定された角度センサ（図示せず）を用いて検出される。
【００１５】
上述の機械的な部材は、ドクター組立体の全長に亘って延在する。長い距離に起因して、その構成は、強く寸法決めされなければならず、その装着は、骨が折れるものかもしれない。小型で軽量な構成は、ドクタービーム１８’上で適切な間隔で幾つかの状態センサ２４を装着することによって効果的に使用されうる。図２に示す機械的な部材は、上述の態様で動作する。突起２４’は、状態センサ２４に取り付けられ、作動不良の場合に紙ウェブ１９が当たる。上述の機械的な部材は、円形で細いので、実際には、細かい材料はそれらの上に集積されない。これにより、誤警報が防止される。
【００１６】
上述の略全ての検出装置は、主に、作動不良中の材料の検出に基づく。これらに加えて、作動不良に起因するドクター組立体の物理量の変化に反応するように構成された検出装置を使用することは可能である。特に、異なる原理で動作する幾つかのセンサが使用される場合、作動不良は、早急且つ確実に検出される一方、誤警報が防止される。本発明によれば、検出装置は、ドクター組立体の温度、圧力、振動、質量、電気的な電導性、容量性若しくは他の物理量に反応するセンサである。例えば、ドロップスルー状況では、ドクターブレードの後に配置される温度センサは、比較的温かい紙ウェブを検出するだろう。同一の温度センサは、また、ロールの温度に反応もできる。作動不良の場合、ドクター組立体は、一般的に顕著に振動する。図２及び図３は、異なる種類のセンサを示す。質量の増加は、例えばドクター組立体１６のベアリング３０に接続された歪みセンサ２８を用いて検出できる。これに応じて、電気的電導性若しくは容量性は、湿った紙ウェブが、ドクタービーム１６，１６’の上部に集積した場合、変化するだろう。かかる変化は、ドクタービーム１６’に設けられる計測センサ２９によって検出される。
【００１７】
図４は、ドクター組立体１６の概略図を示し、その作動不良は、ドクター組立体１６と関連して配置される検出装置２０を用いて検出できる。ドクター組立体１６は、また、ペーパーマシンの正常状況を検出するように構成された装置３１を含む。正常状況では、ウェブは擾乱無しに走行する。ウェブの走行路は、図４で一点鎖線で示される。当該装置３１は、例えばレーザー距離計３１’であってよく、これは、ウェブが外れたポイントを検出するのに使用される。本発明によれば、装置３１は、検出装置２０に接続され、検出装置２０は、移動する表面１７の走行方向でドクター部材１８の前段に設けられ、また、検出装置２０は、装置３１により検出される作動不良の間に、ドクター部材１８の前段での材料の不在を検出するように構成されて、ドクター組立体１６の作動不良を検出する。他言すると、ウェブが破れた場合、材料は、ドクター部材１８により取り除かれる。このとき、ウェブ１９は、波線（図４）のように落ちる。本発明によれば、離脱点の明らかな変化に後続して、材料の存在が、ドクター部材１８の前段で特にその下方で監視される。この目的のため、幾つかの検出装置２０が、図４の十字で示す種々の位置で、ドクター組立体１６内に配設される。一般的に、装置及び検出部材の双方が状況を連続的に監視することが望ましい。装置が、離脱点が逸脱していると、若しくは完全に無くなっていると信号で伝えた場合、且つ、検出装置が材料を検出していない（即ち、ウェブが落ちている）場合、ドクター組立体が作動不良である可能性が高い。このとき、上述のような必要な措置が、作動不良を無くすために実行される。
【００１８】
図５は、前の実施例の変形例を示す。この場合、検出部材３１”は、パルパー供給開口３２のような、除去される材料１９の出口点に配置され、装置３１として使用される。検出部材は、また、ドクター部材１８に関連して配置されてよく、若しくは双方の位置にある。ピックアップロールが、ウェブをプレス部に移送しているが、乾燥部でウェブが存在しないと検出される場合、ウェブ１９は、正常的にパルパーへと下方走行されるだろう。このとき、ウェブ１９は、検出部材３１”の１つに当たり、ドクター組立体が正常に動作していることを示す。一方、スクリーン組立体１６が作動不良の場合、検出部材３１”は、レディ位置（準備位置）に留まり、材料の不在が検出されるだろう。図５では、検出部材３１”は、レディ位置で示されており、その動作位置が、対応して破線で示されている。検出部材は、上述の如く、機械的、光学的、及び／又は音響的であってよい。更に、本説明で示された装置及び部材は、同一位置に組み合わせられることができ、これにより、検出される作動不良の確実性が増し、また、誤警報の数が低減される。
【００１９】
先行技術では、ドクター組立体の動作を監視する唯一の方法は、主に、そのそばに立ってそれを見ることである。多数のドクター組立体の数に起因して、それぞれの動作を１つ１つ連続的に監視することは全体的に不可能である。実際には、作動不良は、通常的には音により、主に偶然に発見され、その後、ペーパーマシンの制御装置が、作動不良を無くすための必要な措置を実行し、修理及び／又は保護措置を実行するために使用される。本発明によれば、検出装置は、作動不良を検出するためドクター組立体と関連して配設され、また、当該措置を自動的に実行するため、ペーパーマシンの制御装置に接続される。これにより、望ましい場合、各ドクター組立体を連続的に監視し、また、作動不良により引き起こされるダメージを大幅に避けることが可能となる。検出装置は、好ましくは、ドクター組立体を形成するダブルドクターに関連して配置され、特に、第１及び第２のドクター部材の間の空間に配置される。これは、特に第１のドクターブレードのドロップスルーが検出されることを意味する。更に、検出装置は、ペーパーマシンのプレス部のドクター組立体を形成するダブルドクターに関連して配置される。これは、この特定のドクター組立体が最も不可欠なものの１つであると知られているので、大きな効果をもたらすだろう。
【００２０】
検出器装置及び／又はそれに接続される部材によって、本発明によるドクター組立体は、ペーパーマシンの利用性を増大する補助をするだろう。作動不良を検出し、制御装置を用いて修理及び／又は保護措置を実行することによって、更なるダメージが効果的に防止されるだろう。検出器装置及び／又は部材の使用は、ドクター組立体の作動を連続的に監視することを可能とし、また、作動不良を予測することも可能となるだろう。本発明によれば、主要な監視は、ドクター部材の後段の状況であり、多くの異なる作動不良を検出することが可能である。観測は、ドクター部材の状態を決定するため副次的に用いられてよく、整備中断の計画が容易化される。しかし、重要なことは、監視が連続的であり、修理及び／又は保護措置が自動的に実質的に実行されることである。修理及び／又は保護措置の自動化能力に加えて、必要であれば、これらは手動で実行されてよいが、これではしばしば手遅れとなる。本発明による検出器装置及び／又は部材並びに方法は、種々のドクター組立体に容易に適用可能である。これらは、ダブルドクターのみならず、擦られる表面が通常的に輸送ベルトのようなロールやベルトである、他のドクターをも含む。
【図面の簡単な説明】
【００２１】
【図１】ペーパーマシンの制御装置、及び、ペーパーマシンに適用される本発明によるドクター組立体の概略図である。
【図２】ロールに関連して適用される本発明によるドクター組立体の側面図である。
【図３】図２のドクター組立体の部品の断面及び斜視図である。
【図４】本発明によるドクター組立体の第２実施例の概略図である。
【図５】本発明によるドクター組立体の第３実施例の概略図である。
【国際公開パンフレット】
2004523675.tif 000003
2004523675.tif 000004
2004523675.tif 000005
2004523675.tif 000006
2004523675.tif 000007
2004523675.tif 000008
2004523675.tif 000009
2004523675.tif 000010
2004523675.tif 000011
2004523675.tif 000012
2004523675.tif 000013
2004523675.tif 000014
2004523675.tif 000015
2004523675.tif 000016
2004523675.tif 000017
2004523675.tif 000018
2004523675.tif 000019
2004523675.tif 000020
2004523675.tif 000021
2004523675.tif 000022
2004523675.tif 000023
2004523675.tif 000024
2004523675.tif 000025
2004523675.tif 000026
【国際調査報告】
2004523675.tif 000027
2004523675.tif 000028